(57)【要約】【課題】印刷文書の内容に係る有益な情報をユーザに提示することができるとともに、印刷文書量の増大および新たな媒体消費を防止することができる。【解決手段】原情報が印刷されている印刷文書を光学的に読み取る画像読取部２５と、読取画像を分析して原情報と空白部分とに分類する分析部１２２と、前記原情報を加工して追記情報を生成するとともに、分析部１２２の分析結果に基づいて、前記追記情報の前記印刷文書での配置を決定する印刷情報制御部１３０と、その配置結果に基づいて、前記印刷文書に前記追記情報を追記するヘッド１２を備えた。【選択図】図４
2009089081.tif 000002
【特許請求の範囲】
【請求項１】
原情報が印刷されている印刷文書を光学的に読み取る読取手段と、
前記読取手段の読取画像を分析して前記原情報と空白部分とに分類する分析手段と、
前記原情報を加工して追記情報を生成する情報加工手段と、
前記分析手段の分析結果に基づいて、前記印刷文書に追記する前記追記情報の前記印刷文書での配置を決定する配置手段と、
前記配置手段の配置結果に基づいて、前記印刷文書に前記追記情報を追記する印刷手段と、
を備えたことを特徴とする文書処理装置。
【請求項２】
前記印刷文書の前記原情報を上塗りで消去する上塗り手段と、
前記追記情報に対して前記印刷文書上の空白部分が不足する場合は、前記上塗り手段によって前記印刷文書上の前記原情報を消去するとともに、前記印刷手段によって前記原情報を元の印刷面積よりも小さい印刷面積で前記印刷文書に再印刷することにより、前記空白部分を拡大する制御を行う制御手段と、
を備えたことを特徴とする請求項１に記載の文書処理装置。
【請求項３】
前記配置手段は、前記原情報の再印刷を行う場合、再印刷する前記原情報の行頭位置および行幅を、再印刷範囲の内外で揃えることを特徴とする請求項２に記載の文書処理装置。
【請求項４】
前記上塗り手段は、上塗り液を吐出する複数の吐出口を有した液体吐出ヘッドによって構成されていることを特徴とする請求項２または３に記載の文書処理装置。
【請求項５】
前記印刷手段は、前記印刷文書上で消色可能な液体を用いて、前記追記情報の印刷を行うことを特徴とする請求項１に記載の文書処理装置。
【請求項６】
前記上塗り手段および前記印刷手段は、前記印刷文書上で消色可能な液体を用いて、前記追記情報の追記を行うことを特徴とする請求項２ないし４のいずれか１項に記載の文書処理装置。
【請求項７】
前記印刷手段は、前記追記情報の消去前に、前記印刷手段によって前記追記情報およびその周辺部を前記消色可能なインクで塗りつぶすことを特徴とする請求項５または６に記載の文書処理装置。
【請求項８】
前記印刷手段は、追記後に前記印刷文書から剥離可能となるインクを用いて前記追記情報の追記を行うことを特徴とする請求項１ないし４のいずれか１項に記載の文書処理装置。
【請求項９】
前記印刷手段は、追記後に紫外線照射により視認可能となるインクを用いて前記追記情報の追記を行うことを特徴とする請求項１ないし４のいずれか１項に記載の文書処理装置。
【請求項１０】
前記印刷文書の媒体種類または表面の質を検出する検出手段と、
前記検出手段の検出結果に基づいて、前記追記情報の追記に用いるインクの種類を切り替える切替手段と、
を備えたことを特徴とする請求項１ないし９のいずれか１項に記載の文書処理装置。
【請求項１１】
前記印刷文書の媒体種類または表面の質を検出する検出手段と、
前記追記情報の印刷に用いるインクの定着性を高めるための下地処理液を前記印刷文書の表面に付与する下地処理液付与手段と、
前記検出手段の検出結果に基づいて、前記下地処理液を前記印刷文書の表面に付与するか否かを切り替える切替手段と、
を備えたことを特徴とする請求項１ないし９のいずれか１項に記載の文書処理装置。
【請求項１２】
オートシートフィーダおよびページめくり装置を備え、
前記印刷文書が単票である場合には、前記オートシートフィーダを用いて前記印刷文書を前記読取手段の読取位置へ送り込む一方で、前記印刷文書が綴じられた媒体である場合には、前記ページめくり装置を用いてページめくりを行って、対象ページを前記読取手段で読取可能な状態に設定することを特徴とする請求項１ないし１１のいずれか１項に記載の文書処理装置。
【請求項１３】
前記分析手段は、前記読取画像から文字情報、図形および写真のうち少なくともひとつを前記原情報として抽出し、
前記情報加工手段は、前記分析手段によって抽出された情報を加工して前記追記情報を生成することを特徴とする請求項１ないし１２のいずれか１項に記載の文書処理装置。
【請求項１４】
前記原情報から重要情報を抽出する手段を備え、
前記情報加工手段は、前記重要情報を前記印刷文書上で指示する付記情報を生成し、
前記印刷手段は、前記付記情報を追記することを特徴とする請求項１ないし１３のいずれか１項に記載の文書処理装置。
【請求項１５】
前記原情報から重要情報を抽出する手段を備え、
前記情報加工手段は、前記重要情報を含む要約文を生成し、
前記印刷手段は、前記要約文を追記することを特徴とする請求項１ないし１４のいずれか１項に記載の文書処理装置。
【請求項１６】
前記原情報の文字情報を言語解析する手段を備え、
前記情報加工手段は、前記原情報の文字情報を所定の言語から別の言語へ翻訳して翻訳文を生成し、
前記印刷手段は、前記翻訳文を追記することを特徴とする請求項１ないし１５のいずれか１項に記載の文書処理装置。
【請求項１７】
原情報が印刷されている印刷文書を光学的に読み取る読取ステップと、
前記読取ステップでの読取画像を分析して前記原情報と空白部分とに分類する分析ステップと、
前記原情報を加工して追記情報を生成する情報加工ステップと、
前記分析ステップでの分析結果に基づいて、前記印刷文書に追記する前記追記情報の前記印刷文書での配置を決定する配置ステップと、
前記配置ステップでの配置結果に基づいて、前記印刷文書に前記追記情報を追記する追記ステップと、
を含むことを特徴とする文書処理方法。
【請求項１８】
原情報が印刷されている印刷文書を光学的に読み取る読取ステップと、
前記読取ステップでの読取画像を分析して前記原情報と空白部分とに分類する分析ステップと、
前記原情報を加工して追記情報を生成する情報加工ステップと、
前記分析ステップでの分析結果に基づいて、前記印刷文書に追記する前記追記情報の前記印刷文書での配置を決定する配置ステップと、
前記配置ステップでの配置結果に基づいて、前記印刷文書に前記追記情報を追記する追記ステップと、
を少なくともコンピュータに実行させることを特徴とするプログラム。
【発明の詳細な説明】
【技術分野】
【０００１】
本発明は、印刷文書の内容に係る有益な情報を生成し印刷する文書処理装置、文書処理方法およびプログラムに関する。
【背景技術】
【０００２】
文字情報、写真、図形など、各種の情報を印刷可能なプリンタが提供されている。このようなプリンタとしては、例えば、インクを吐出する複数のノズルを有するインク吐出ヘッドを用いて、紙などの媒体に情報を印刷するインクジェット式プリンタが普及している。インクジェット式以外にも、電子写真式（乾式）、熱転写式など、各種の方式によるプリンタが提供されている。
【０００３】
また、印刷された原文文書を光学的に読み取って、文字認識および翻訳を行い、別の用紙に、原文および翻訳結果を印刷する機械翻訳装置が知られている（特許文献１、２）。
【０００４】
レントゲン画像記録装置において、レントゲン画像を１枚のシートに複数記録する技術
も知られている（特許文献３）。いくつのレントゲン画像がシート上のどこに記録されているかを表すブロック形状の図形を、レントゲン画像とともにシートに毎回記録していくことで、後からレントゲン画像を追加する処理を容易にする。
【０００５】
電子辞書において、検索した情報を、引き出し線と共に表示する技術も知られている（特許文献４）。これは情報検索に関する技術であり、印刷媒体から情報を読み取る技術ではない。
【０００６】
ノズルからインクを吐出して印刷後、印刷物を検査して、欠陥箇所があるときは、その欠陥箇所に正常ノズルからインクを吐出するプリンタも知られている（特許文献５）。すなわち、印刷不良画像を、本来記録すべきであった原画像に修正する。
【特許文献１】特開平６−２４３１６２号公報
【特許文献２】特開平８−３０６２４号公報
【特許文献３】特開２０００−３２６５８３号公報
【特許文献４】特開平１１−１４９４８６号公報
【特許文献５】特開２００６−３３４８３５号公報
【発明の開示】
【発明が解決しようとする課題】
【０００７】
しかしながら、様々な印刷文書の内容理解を助ける有益な情報を自動で生成し印刷することと、新たな印刷媒体の消費を伴わない環境適性の高い装置を提供することを、両立することは、困難である。
【０００８】
特許文献１、２に記載の構成では、原文が印刷されていた印刷媒体とは別の新たな印刷媒体に翻訳結果を印刷することは可能だが、原文が印刷されていた印刷媒体自体に対して翻訳結果を追記することができない。
【０００９】
特許文献３〜５の文献も、既に情報が印刷されている印刷文書の限られた余白を有効活用して、同じ印刷文書に追記するという点に関する技術を、何ら開示していない。
【００１０】
したがって、従来は、印刷文書の内容に係る有益な情報をユーザに提示しようとしても、そのような有益な情報は新たな媒体に印刷する必要があり、文書量の増大および新たな媒体の消費となって、環境適性に欠けるという問題があった。
【００１１】
本発明はこのような事情に鑑みてなされたもので、印刷文書の内容に係る有益な情報をユーザに提示することができるとともに、印刷文書量の増大および新たな媒体消費を防止することができる環境適性の高い文書処理装置、文書処理方法およびプログラムを提供することを目的とする。
【課題を解決するための手段】
【００１２】
前記目的を達成するために、請求項１に記載の発明は、原情報が印刷されている印刷文書を光学的に読み取る読取手段と、前記読取手段の読取画像を分析して前記原情報と空白部分とに分類する分析手段と、前記原情報を加工して追記情報を生成する情報加工手段と、前記分析手段の分析結果に基づいて、前記印刷文書に追記する前記追記情報の前記印刷文書での配置を決定する配置手段と、前記配置手段の配置結果に基づいて、前記印刷文書に前記追記情報を追記する印刷手段と、を備えたことを特徴とする文書処理装置を提供する。
【００１３】
これによって、印刷文書の内容に係る有益な情報を自動の処理によって、印刷文書そのものに追記し、ユーザに提示することができるとともに、印刷文書量の増大および媒体消費を防止することができる。
【００１４】
請求項２に記載の発明は、請求項１に記載の発明において、前記印刷文書の前記原情報を上塗りで消去する上塗り手段と、前記追記情報に対して前記印刷文書上の空白部分が不足する場合は、前記上塗り手段によって前記印刷文書上の前記原情報を消去するとともに、前記印刷手段によって前記原情報を元の印刷面積よりも小さい印刷面積で前記印刷文書に再印刷することにより、前記空白部分を拡大する制御を行う制御手段と、を備えたことを特徴とする文書処理装置を提供する。
【００１５】
これによって、印刷文書の余白が不足の場合にも、印刷文書そのものに追記することができる。
【００１６】
請求項３に記載の発明は、請求項２に記載の発明において、前記配置手段は、前記原情報の再印刷を行う場合、再印刷する前記原情報の行頭位置および行幅を、再印刷範囲の内外で揃えることを特徴とする文書処理装置を提供する。
【００１７】
これによって、印刷文書の余白が不足の場合に、印刷文書の元情報を再配置した際にも、読みやすい印刷文書を提供する事ができる。
【００１８】
請求項４に記載の発明は、請求項２または３に記載の発明において、前記上塗り手段は、上塗り液を吐出する複数の吐出口を有した液体吐出ヘッドによって構成されていることを特徴とする文書処理装置を提供する。
【００１９】
これによって、印刷文書の余白が不足の場合に、印刷文書の元情報を再配置する際にも、必要最小限の範囲に上塗り処理をする事ができる。
【００２０】
請求項５に記載の発明は、請求項１に記載の発明において、前記印刷手段は、前記印刷文書上で消色可能な液体を用いて、前記追記情報の印刷を行うことを特徴とする文書処理装置を提供する。
【００２１】
これによって、印刷文書に追記した内容が不必要となった際に、印刷文書を追記のない状態に戻す事ができる。
【００２２】
請求項６に記載の発明は、請求項２ないし４のいずれか１項に記載の発明において、前記上塗り手段および前記印刷手段は、前記印刷文書上で消色可能な液体を用いて、前記追記情報の追記を行うことを特徴とする文書処理装置を提供する。
【００２３】
これによって、印刷文書に追記した内容が不必要となった際に、印刷文書を追記と上塗り処理のない状態に戻す事ができる。
【００２４】
請求項７に記載の発明は、請求項５または６に記載の発明において、前記印刷手段は、前記追記情報の消去前に、前記印刷手段によって前記追記情報およびその周辺部を前記消色可能なインクで塗りつぶすことを特徴とする文書処理装置を提供する。
【００２５】
これによって、印刷文書に追記した内容を消去した後に、第三者に追記内容を読み取られにくくする事ができる。
【００２６】
請求項８に記載の発明は、請求項１ないし４のいずれか１項に記載の発明において、前記印刷手段は、追記後に前記印刷文書から剥離可能となるインクを用いて前記追記情報の追記を行うことを特徴とする文書処理装置を提供する。
【００２７】
これによって、印刷文書に追記した内容を剥離消去した際に、より元の印刷文書の状態に近く戻すことが出来ると共に、剥離消去後に、第三者に追記内容を読み取られにくくする事ができる。
【００２８】
請求項９に記載の発明は、請求項１ないし４のいずれか１項に記載の発明において、前記印刷手段は、追記後に紫外線照射により視認可能となるインクを用いて前記追記情報の追記を行うことを特徴とする文書処理装置を提供する。
【００２９】
これによって、印刷文書に追記したままの状態で、第三者に追記内容を読み取られにくくする事ができる。
【００３０】
請求項１０に記載の発明は、請求項１ないし９のいずれか１項に記載の発明において、前記印刷文書の媒体種類または表面の質を検出する検出手段と、前記検出手段の検出結果に基づいて、前記追記情報の追記に用いるインクの種類を切り替える切替手段と、を備えたことを特徴とする文書処理装置を提供する。
【００３１】
これによって、印刷文書に追記する際に、より確実に追記内容を定着する事ができる。
【００３２】
請求項１１に記載の発明は、請求項１ないし９のいずれか１項に記載の発明において、前記印刷文書の媒体種類または表面の質を検出する検出手段と、前記追記情報の印刷に用いるインクの定着性を高めるための下地処理液を前記印刷文書の表面に付与する下地処理液付与手段と、前記検出手段の検出結果に基づいて、前記下地処理液を前記印刷文書の表面に付与するか否かを切り替える切替手段と、を備えたことを特徴とする文書処理装置を提供する。
【００３３】
これによって、印刷文書に追記する際に、印刷文書の媒体に応じて、より確実に追記内容を定着する事ができる。
【００３４】
請求項１２に記載の発明は、請求項１ないし１１のいずれか１項に記載の発明において、オートシートフィーダおよびページめくり装置を備え、前記印刷文書が単票である場合には、前記オートシートフィーダを用いて前記印刷文書を前記読取手段の読取位置へ送り込む一方で、前記印刷文書が綴じられた媒体である場合には、前記ページめくり装置を用いてページめくりを行って、対象ページを前記読取手段で読取可能な状態に設定することを特徴とする文書処理装置を提供する。
【００３５】
これによって、綴じられた文書でも、追記処理を自動で行う事ができる。
【００３６】
請求項１３に記載の発明は、請求項１ないし１２のいずれか１項に記載の発明において、前記分析手段は、前記読取画像から文字情報、図形および写真のうち少なくともひとつを前記原情報として抽出し、前記情報加工手段は、前記分析手段によって抽出された情報を加工して前記追記情報を生成することを特徴とする文書処理装置を提供する。
【００３７】
これによって、印刷文書の内容の種類を判別し、適切な情報を追記する事ができる。
【００３８】
請求項１４に記載の発明は、請求項１ないし１３のいずれか１項に記載の発明において、前記原情報から重要情報を抽出する手段を備え、前記情報加工手段は、前記重要情報を前記印刷文書上で指示する付記情報を生成し、前記印刷手段は、前記付記情報を追記することを特徴とする文書処理装置を提供する。
【００３９】
これによって、印刷文書の内容から重要な情報を判別したうえで抽出し、付記情報によって、重要な情報を分かりやすく目立たせる事ができる。
【００４０】
請求項１５に記載の発明は、請求項１ないし１４のいずれか１項に記載の発明において、前記原情報から重要情報を抽出する手段を備え、前記情報加工手段は、前記重要情報を含む要約文を生成し、前記印刷手段は、前記要約文を追記することを特徴とする文書処理装置を提供する。
【００４１】
これによって、印刷文書の内容から重要な情報を判別したうえで抽出し、要約文とすることで、使用者が、印刷文書の内容を短時間で把握する事ができる。
【００４２】
請求項１６に記載の発明は、請求項１ないし１５のいずれか１項に記載の発明において、前記原情報の文字情報を言語解析する手段を備え、前記情報加工手段は、前記原情報の文字情報を所定の言語から別の言語へ翻訳して翻訳文を生成し、前記印刷手段は、前記翻訳文を追記することを特徴とする文書処理装置を提供する。
【００４３】
これによって、印刷文書の内容を翻訳し、追記することで、原文と訳文を対比させながら印刷文書を読む事ができる。
【００４４】
請求項１７に記載の発明は、原情報が印刷されている印刷文書を光学的に読み取る読取ステップと、前記読取ステップでの読取画像を分析して前記原情報と空白部分とに分類する分析ステップと、前記原情報を加工して追記情報を生成する情報加工ステップと、前記分析ステップでの分析結果に基づいて、前記印刷文書に追記する前記追記情報の前記印刷文書での配置を決定する配置ステップと、前記配置ステップでの配置結果に基づいて、前記印刷文書に前記追記情報を追記する追記ステップと、を含むことを特徴とする文書処理方法を提供する。  
【００４５】
請求項１８に記載の発明は、原情報が印刷されている印刷文書を光学的に読み取る読取ステップと、前記読取ステップでの読取画像を分析して前記原情報と空白部分とに分類する分析ステップと、前記原情報を加工して追記情報を生成する情報加工ステップと、前記分析ステップでの分析結果に基づいて、前記印刷文書に追記する前記追記情報の前記印刷文書での配置を決定する配置ステップと、前記配置ステップでの配置結果に基づいて、前記印刷文書に前記追記情報を追記する追記ステップと、を少なくともコンピュータに実行させることを特徴とするプログラムを提供する。
【発明の効果】
【００４６】
本発明によれば、印刷文書の内容に係る有益な情報をユーザに提示することができるとともに、印刷文書量の増大および媒体消費を防止することができる。
【発明を実施するための最良の形態】
【００４７】
以下、添付図面に従って、本発明の実施形態について、詳細に説明する。
【００４８】
（第１実施形態）
図１は、第１実施形態に係る文書処理装置の一例の全体構成図である。
【００４９】
図１において、文書処理装置１０は、上塗り液吐出ヘッド１１、インク吐出ヘッド１２、液体貯蔵部１４、給紙トレイ２０、給紙部２１、吸着搬送部２２、画像読取部２５、排紙部２８、および、排紙トレイ２９を含んで構成されている。
【００５０】
画像読取部２５は、本例では、情報が印刷されている文書１６の読取対象部分に向けて光を照射するランプ２３と、文書１６の読取対象部分をスキャニングして光学的に読み取るスキャナ２４を含んで構成されている。スキャナ２４は、例えばＣＣＤ（Charge Coupled Device）センサによって構成されている。
【００５１】
上塗り液吐出ヘッド１１は、文書１６の原情報（文書１６に既に印刷されている情報である）を上塗りで消去するための上塗り液を吐出する。インク吐出ヘッド１２Ｋ、１２Ｃ、１２Ｍ、１２Ｙは、本例では、黒色、シアン色、マゼンタ色、イエロ色の各インクをそれぞれ吐出する。液体貯蔵部１４は、本例では、上塗り液を貯蔵する上塗り液タンクと、黒色、シアン色、マゼンタ色、イエロ色の各インクをそれぞれ貯蔵するインクタンクを含んで構成されている。
【００５２】
給紙トレイ２０は、処理対象の単票の文書１６を載置するものである。また、給紙部２１は、繰り出しローラ２１ａおよび送り出しローラ２１ｂを含むオートシートフィーダによって構成されており、給紙トレイ２０から単票の文書１６を取り出して画像読取部２５の読取位置（スキャナ２４と対向する位置である）へ一枚ずつ送り込む。
【００５３】
吸着搬送部２２は、搬送用ローラ３１、３２間に無端状のベルト３３が巻き掛けられた構造を有し、少なくとも画像読取部２５の画像読取面および液体吐出ヘッド１１、１２の液体吐出面に対向するベルト面が、多数の吸引孔（図示を省略）を有する平面によって構成されている。ベルト３３の内周側において、画像読取部２５の画像読取面および液体吐出ヘッド１１、１２の液体吐出面に対向する位置には、吸引チャンバ３４が設けられており、この吸引チャンバ３４をファン３５で吸引して負圧にすることにより、ベルト３３上の文書１６が吸着される。ベルト３３が巻かれているローラ３１、３２の少なくとも一方にモータ（図示省略）の動力が伝達されることにより、ベルト３３は図１において、時計回り方向に駆動され、ベルト３３上に保持された文書１６は、図１の左から右へと搬送される。吸着搬送部２２によって搬送された文書１６は、その先端部が位置合わせセンサ２６によって検出されて位置合わせされた後、上塗り液吐出ヘッド１１によって必要に応じて上塗りが行われ、インク吐出ヘッド１２によって追記が行われた後、排紙部２８によって排紙トレイ２９へ排出される。位置合わせセンサ２６は、例えば光学センサによって構成されている。排紙部２８は、本例では、一対のローラを含んで構成されている。
【００５４】
なお、図１では、単票の文書１６が給紙トレイ２０から給紙されて、排紙トレイ２９に排紙される場合を例に示したが、ページめくりが必要な綴じられた文書（冊子、本）は、オプションのページめくり装置（図示を省略）によってページめくりされ、画像読取部２５による読取が可能な状態に設定される。綴じられた文書では、画像読取部２５、位置合わせセンサ２６および液体吐出ヘッド１１、１２を含むユニット（読取印刷ユニット）が一体となって移動することにより、光学的読取、必要な上塗り、および、追記が行われる。
【００５５】
また、本例の文書処理装置１０は、表示モニタ４２およびキーボード４４を備える。表示モニタ４２は、液晶表示装置（ＬＣＤ）およびタッチパネルによって構成されている。
【００５６】
このような文書処理装置１０は、後述のシステムコントローラ１１０によって統括制御される。
【００５７】
図２は、図１の上塗り液吐出ヘッド１１およびインク吐出ヘッド１２として用いられる液体吐出ヘッド（以下単に「ヘッド」と称する）の全体構成の一例を示す平面透視図である。
【００５８】
図２のヘッド５０は、いわゆるフルラインヘッドであり、被吐出媒体（図１の文書１６）の搬送方向（図中に矢印Ｓで示す副走査方向である）と直交する方向（図中に矢印Ｍで示す主走査方向である）において、被吐出媒体の幅に対応する長さにわたり、被吐出媒体に向けてインクを打滴する多数のノズル５１（液体吐出口）を２次元的に配列させた構造を有している。
【００５９】
ヘッド５０は、液体を吐出するノズル５１、ノズル５１に連通する圧力室５２、圧力室５２へ液体を供給するための液体供給口５３などを含んでなる複数の液体吐出素子５４が、主走査方向Ｍおよび主走査方向Ｍに対して所定の鋭角θ（０度＜θ＜９０度）をなす斜め方向の２方向に沿って配列されている。なお、図２では、図示の便宜上、一部の液体吐出素子５４のみ描いている。
【００６０】
ノズル５１は、具体的には、主走査方向Ｍに対して所定の鋭角θをなす斜め方向において、一定のピッチｄで配列されており、これにより、主走査方向Ｍに沿った一直線上にｄ×ｃｏｓθの間隔で配列されたものと等価に取り扱うことができる。
【００６１】
図３は、図２の３−３線に沿った断面図である。なお、図３には、図示の便宜上、ひとつの液体吐出素子５４のみ描かれているが、ヘッド５０は、実際には、図２に示したように２次元配列された複数の液体吐出素子５４によって構成されている。ひとつの液体吐出素子５４は、具体的には、ノズル５１、圧力室５２、液体供給口５３、および、圧電素子５８を、それぞれひとつずつ有する。圧電素子５８は、圧力室５２の容積を変化させることにより、圧力室５２に連通しているノズル５１から、液体を吐出させる。また、各圧力室５２は、液体供給口５３を介して、複数の圧力室５２に対して共通の共通流路５５に連通している。
【００６２】
図４は、図１の文書処理装置１０の機能的構成の一例を示すブロック図である。
【００６３】
図４において、文書処理装置１０は、主として、吸着搬送部２２、画像読取部２５、表示モニタ４２、キーボード４４、システムコントローラ１１０、吸着搬送制御部１１４、画像読取制御部１１８、分析部１２２、印刷情報制御部１３０、ヘッドドライバ１３４、メンテナンス部１３６、給液部１３８、印刷制御部１４０、および、各種のメモリ１２０、１２４、１２６、１３２を含んで構成されている。
【００６４】
システムコントローラ１１０は、マイクロコンピュータおよびその周辺回路を含んで構成されており、所定のプログラムに従って、文書処理装置１０全体の統括制御を行う。
【００６５】
吸着搬送部２２は、図１の搬送用ローラ３１、３２を駆動する搬送用モータ１４１、搬送モータ１４１を駆動するモータドライバ１４２、および、文書１６を吸着する吸着部１４４を含んで構成されており、処理対象の文書１６の吸着および搬送を行う。吸着部１４４は、図１の吸引チャンバ３４およびファン３５を含んで構成されている。
【００６６】
吸着搬送制御部１１４は、マイクロコンピュータおよびその周辺回路を含んで構成されており、システムコントローラ１１０の指示に従って、吸着搬送部２２を制御する。
【００６７】
画像読取部２５は、図１のランプ２３、ランプ２３を駆動するランプドライバ１４６、および、図１のスキャナ２４を含んで構成されており、処理対象の文書を光学的に読み取って、読取画像を生成する。
【００６８】
なお、スキャナ２４は、用紙搬送型に特に限定されず、フラットベッド型でもよい。高速処理のために文書１６の一ページ全面を一度に撮像するスキャナでもよく、文書１６の一ページを複数回の走査により撮像するスキャナでもよい。手動で文書１６上を走査させるものでもよい。いずれを用いても、文書１６に印刷されている文字情報、写真、図形などの原情報を光学的に読み取る。読み取りに使用する光学系は、セルフフォックアレイを用いた密着型、撮像レンズを用いたものなど、各種使用可能である。
【００６９】
また、複数枚の連続読取処理を可能とするためには、オートシートフィーダ（図１の２１）や、綴じられた文書（冊子、本）のページめくりを行うページめくり装置（図示を省略）が、一体となっていることが、より望ましい。また、オートシートフィーダおよびページめくり装置は、読み取りおよび印刷で兼用すると、装置を小型化できるので、より望ましい。
【００７０】
画像読取制御部１１８は、マイクロコンピュータおよびその周辺回路を含んで構成されており、システムコントローラ１１０の指示に従って、画像読取部２５を制御する。
【００７１】
画像メモリ１２０は、読取画像を一時的に記憶するメモリである。
【００７２】
分析部１２２は、読取画像を分析して文書１６に既に印刷されている原情報（文字情報、図形、写真）と空白部分とに分類する処理（以下「読取画像分析」という）と、文書１６に印刷されている原情報の内容を分析する処理（以下「原情報分析」という）とを行う。これらの処理については、後に詳説する。
【００７３】
辞書メモリ１２４は、分析部１２２の原情報分析に用いられる言語辞書など各種の辞書を記憶するメモリである。
【００７４】
分析結果メモリ１２６は、分析部１２２の分析結果を記憶するメモリである。
【００７５】
印刷情報制御部１３０は、分析部１２２の原情報分析の結果に基づいて原情報を加工して追記情報を生成する処理（以下「情報加工」という）と、読取画像分析の結果および情報加工の結果に基づいて文書１６上での追記情報の配置を決定する処理（以下単に「配置」という）を行う。これらの処理については、後に詳説する。
【００７６】
印刷メモリ１３２は、文書１６に追記する追記情報や、その追記情報の配置情報を一時的に記憶するメモリである。原情報の再印刷を行う場合には、原情報およびその配置情報も記憶する。
【００７７】
ヘッドドライバ１３４は、ヘッド（上塗り液吐出ヘッド１１、インク吐出ヘッド１２）を駆動する回路によって構成されている。
【００７８】
メンテナンス部１３６は、ヘッド１１、１２の状態をメンテナンスするものである。例えば、ヘッドの吐出面の封止、ヘッドからの液体吸引などを行う。
【００７９】
給液部１３８は、図１の液体貯蔵部１４から各ヘッド１１、１２への給液を行う。
【００８０】
印刷制御部１４０は、マイクロコンピュータおよびその周辺回路を含んで構成されており、システムコントローラ１１０の指示に従って、ヘッドドライバ１３４を用い、上塗り制御、追記制御などを行う。また、印刷制御部１４０は、システムコントローラ１１０の指示に従って、メンテナンス部１３６を用い、メンテナンス制御を行う。
【００８１】
以下では、本文書処理装置の要部である分析部１２２、印刷情報制御部１３０および印刷制御部１４０について、詳細に説明する。
【００８２】
まず、分析部１２２によって行われる「読取画像分析」について、詳細に説明する。
【００８３】
分析部１２２は、文書のページ全面を読み取って得られた画像情報（読取画像）を分析して、その読取画像から文書に既に印刷されている原情報（文字情報、図形、写真など）を取得する。また、分析部１２２は、文書上において、追記可能な空白部分（余白、行間など）を検出する。基本的には、文字情報を手がかりにして分析を行い、読取画像を原情報と空白部分とに分類する。すなわち、読取画像のうちで、文字情報、図形、写真などの原情報を構成する画素が含まれている連続した領域と、下地の濃度で連続した領域とに分類する。原情報は、文字情報、図形、写真などに分類して、それぞれ抽出される。
【００８４】
文字情報であるか、あるいは他の部分であるかは、文書上の濃度分布に基づいて判定する。具体的には、文書の１ページを読み取ると、まず、読取画像全体の濃度値について、濃度値ごとの画素数を度数（頻度）としてヒストグラムを作る。このヒストグラムにおいて、最も低い濃度値（白っぽい、または薄い）付近のピーク濃度が、対象ページの下地（すなわち用紙の色）の濃度である。
【００８５】
次に、図５に示すように、読取画像５００を小さな区画６００（例えば、２ｃｍ×２ｃｍ程度の四角形、図６に一例を拡大して示す）に分けて、各区画６００について、図７に示すように、濃度値ごとの画素（図６の６０２）の数を度数として、ヒストグラム７００を作る。次に、各区画のヒストグラム７００を、下地の濃度よりも高くかつ濃度が比較的低い（薄い）部分と、濃度が比較的高い（濃い）部分と、中間の濃度の部分とに分けて、それぞれの度数(画素数)を比較する。簡単には、図７に示すように、下地の濃度値７０２から最高濃度７０４までの範囲を、「低」、「中間」、「高」の３つの濃度領域に等分し、これらの領域の画素数を比較する。その結果、「中間」濃度領域の画素数が少なく且つ「高」濃度領域の画素数が多い区画６００、すなわち、印刷された情報が高い濃度コントラストを持っている（白黒がはっきりした）区画６００は、文字情報部分か図形部分であることが推定される。特に、「高」濃度領域が黒い色の部分であると、その確率が高い。
【００８６】
このような高濃度コントラストを持つ区画６００が、１ページの中で、縦横にどの様に繋がっているかを調べて、同様の特徴を持つ範囲を確定する。
【００８７】
次に、この範囲について、図８に示すように、読取画像の画素の細かさ（読取解像度）で、縦（Ｙ軸）方向および横（Ｘ軸）方向の各方向について、平均濃度を求める。文字が書かれている部分で、このように平均濃度を求めると、一般に、縦書きなら横方向、横書きなら縦方向に、一定周期で、文字のそれぞれ幅、高さに相当する平均濃度が高い部分（文字がある部分）８０２と、用紙の下地の濃度部分（行間）８０４が繰り返す。平均濃度の高い部分８０２が周期的に分布する領域には、写真や図形ではなく、文字情報が書かれていると判断する。行間８０４は、「行」の構成特徴に注目して、検出する。
【００８８】
周期は前述のように文字の大きさに依るので、一般的な書類に使われる６ポイントから２０ポイントに相当する周期を基本に分析する。なお、見出し部分などは大きな文字が使われている可能性があるので、２０ポイント相当の周期を超える部分についても文字情報部分の候補として、以降の処理を行う。
【００８９】
さらに、高濃度部分と下地濃度部分の繰り返す方向が、縦方向なら横書きの文字情報部分、横方向なら縦書きの文字情報部分と判断される。また、下地濃度の連続した部分が行間と判断される。図９は、縦書きか横書きかの判断、および、文字位置および行間の判断を行った結果として、検出された行９０２と、追記候補の行間９０４とを示す。
【００９０】
なお、文字間ピッチが一定でない場合（プロポーショナル印字など）、行方向の下地濃度が出にくいので、横書きか縦書きかの判断が容易である。そうでない場合でも、文字間ピッチと行間ピッチとの関係などに基づいて横書きか縦書きかを判断できる。
【００９１】
これ以外の領域で、高い濃度コントラストを持ち、且つ、文字のような周期性の濃度変化を持たない区画は、図形と判断される。また、区画６００ごとのヒストグラム７００に基づいて、中間の濃度の画素数が多い区画は、写真と判断される。この様に、区画６００毎に、原情報の種類（文字情報、図形、写真）を分類する。
【００９２】
図５の読取画像５００を分析した結果を図１０に示す。符号１００２を付した部分は文字情報部分であり、符号１００４を付した部分は図形部分であり、符号１００６を付した部分は文字情報および図形が混在した部分であり、それ以外の部分が余白１００８である。また、図示を省略したが、文字情報部分１００２内には、前述のように検出された行間（図９の９０４）が存在する。
【００９３】
次に、分析部１２２による原情報分析について、説明する。
【００９４】
文字情報については、周知のＯＣＲ技術を用いて、文字画像を処理して文字コードに変換する。この際、文字の大きさ、文字の線の太さ、および、文字の修飾（下線など）の有無も検出する。さらに、１ページ内の文字部分の配置、位置関係、及び、各文字部分が縦書きか、横書きかという検出結果を基に、文章の繋がりを判断する。これは、横書きであれば、左上から始まり下方向に行き、段組書類であれば、さらに右上に繋がり下方向に行く、というような、一般的な文書レイアウトの規則に従い、文章の繋がりを決め、文字情報を一続きの文章として抽出する。なお、複数ページの書類の場合は、前後のページの文字情報の分析結果を合わせて一続きの文章として処理する。
【００９５】
以上のようにして、文字情報を文章（以下単に「文」という）として抽出した後は、文中の単語の分析を行う。
【００９６】
この分析では、まず、文を単語に区切る。文を単語に区切る場合は、まず、「、」、「。」、「；」、「：」などの区切り記号および「空白」で区切り、次に、ひらがな、カタカナ、漢字、数字、アルファベットのかたまり毎に区切る。その後で、対象言語の単語を記憶した辞書（国語辞書の様に、多数の言葉を記録した言語辞書）と比較し、辞書にある単語を取り出す。漢字の後にひらがなが続く場合は、送り仮名が付いている場合と付いていない場合とを仮定して、辞書中の単語と比較する。このような比較の結果、各かたまりをさらに細かい区切りに分けることもあり得る。例えば、ひらがなを多用して書かれた部分などは、複数の単語に分かれる場合がある。なお、辞書には、その単語の品詞も記録されているので、品詞についても調べる。
【００９７】
文章を単語に区切り、品詞を調べた後、同一単語の出現頻度を調べる。特に、名詞で出現頻度が高い単語は、重要語である確率が高いので、その単語に点数を付ける。また、太字の単語、下線が引かれた単語、文字のサイズが他よりも大きくなっている単語は、重要語になっている確率が高いので、その単語に点数を付ける。また、文として長い文や、各文の中で、書類の上部分(始め部分)及び末尾部分は、重要な事項が書かれている可能性が高いので、その部分に点数を付ける。また、「結果」、「結論」、「つまり」、「よって」、「なぜなら」、「最終的に」、「まとめ」などの結論を意味する単語が含まれる文も重要文である可能性が高いので、その文に点数を付ける。更に、これらの文に重要語が含まれている場合は、重要文である可能性がより高くなるので、さらに点数を付ける。
【００９８】
このように、各単語および文に点数付けをし、点数の高い単語および文を求め、重要語および重要文を重要情報として自動で抽出する。
【００９９】
また、重要語については、本装置を操作する使用者が、特に注目している重要語を、キーボード４４から入力したり、図示省略のマイクから音声入力したりする。また、読み取った画像を表示モニタ４２に表示し、そのタッチパネルなどによって重要語を指し示すことによって入力してもよい。このように使用者が指定した重要語は、最優先の重要語として扱う。
【０１００】
各文書について、重要語を上記のように定めた後、先に認識した文の中から、重要語の１ページ内の位置を抽出する。
【０１０１】
また、図形や写真については、その近傍に、それぞれの内容を示す文が付されていることがある。分析部１２２では、このような図形や写真の近傍、特に直上や直下にある文に注目し、その文中から、前述のように重要語を抽出する。画像や図形の近傍にある単語（名詞など）は、特に重要である確率が高いので、重要情報と判断する。
【０１０２】
また、“図１”や“Ｆｉｇ１”のような、図等の番号を示す表記がある場合、これらの番号と、書類の他の文中の対応する図等の番号との対応付けを行う。このような図等の番号の対応付けを行った結果、何度も引用されている図等は、重要である確率が高いので、重要情報と判断する。具体的には、例えば、対応付け回数が初期値として設定した閾値か、使用者が定めた閾値を超えた場合、その番号が付された図等を、重要情報と判断する。
【０１０３】
次に、印刷情報制御部１３０によって行われる「情報加工」および「配置」について、詳細に説明する。
【０１０４】
印刷情報制御部１３０では、分析部１２２での原情報分析結果に基づいて追記情報を生成し、読取元の文書１６の空白部分（余白、行間）への配置を決定する。
【０１０５】
例えば、分析部１２２で抽出した重要情報（重要語、重要文）を文書１６上で指示する付記情報を生成する。
【０１０６】
図１１は追記前の文書１６を示し、図１２は追記後の文書１６を示す。図１２において、重要語としてキーワード８６を余白に追記している。付記情報の例としては、重要情報の近傍に付記するアンダーライン８１、傍点８２、「レ」点８３などの記号や、重要情報を囲む丸や四角などの囲い図形８４がある。また、図形近傍の文字情報中の図番と他の文字情報中の図番とを関連付けて示す線８５（関連付けライン）を生成する場合もある。
【０１０７】
追記の方法は、使用者が前もって設定できる。この設定の際、重要語毎に付記情報（アンダーライン等）の色を変える、付記情報の種類を変える、なども設定する事ができる。無論、装置の標準的な設定に従って行ってもよい。
【０１０８】
また、最重要語として抽出されたキーワード８６を追記してもよい。このような追記情報を見易く追記するために、読取画像から余白、行間についてそれぞれ面積、幅を検出し、適切な空白が残るように（その周囲の原情報との隙間が残るように）、追記情報の大きさを決定する。隙間の大きさは、最小幾つにするか設定する事ができる。
【０１０９】
しかし、指定された追記方法によっては、余白が不足して追記が困難な場合があり得る。最小の隙間を採用しても、追記が不可能な場合は、適切な余白を作り出すために、原情報の一部（または全部）を再印刷することを決定する。
【０１１０】
図１２において符号８７は、再印刷された原情報を示す。これは、図１１の原情報８０と同じ内容で、且つ、図１１の原情報８０の印刷面積よりも小さな印刷面積で、再印刷された情報である。このような再印刷に先立ち、先に検出した下地の色またはこれに近い色で（一般には白色である）で、図１１の原情報８０の印刷領域のうちで必要な面積の領域を上塗りして、その領域の原情報を見えなくする。このような上塗りの際に、下地との境界部分が目立ちにくくなるように、上塗り範囲（例えば図１１の原情報８０の印刷領域）の縁部分は、上塗り液量にグラデーションを掛けて、外側ほど上塗り液量を少なくする。
【０１１１】
また、図１３（Ａ）及び（Ｂ）に示すように、元の原情報８０と再印刷後の原情報８７とで行ピッチを変えて行間を詰めるなど、加工および配置を行い、追記情報を印刷するための新たな余白９０を作り出す。簡易に行うため、原情報画像を縮小して再印刷してもよい。上塗りや原情報再印刷は、後述の印刷制御部１４０の制御より実行される。
【０１１２】
また、再印刷の際は、図１３（Ｂ）に示すように、再印刷された原情報８７と再印刷されない原情報９１とで、行頭位置９２が揃うように配置する。また、縮小して印刷する場合は、行頭位置９２を揃えるだけでなく、文字ピッチを変更して文字間を詰め、１行の文字数を増やし、行幅９３が再印刷されなかった原情報９１と一致させる。再印刷前の原情報８０と再印刷後の原情報８７とで、行頭位置および行幅を一致させてもよい。
【０１１３】
縮小の際には、文字が判読しにくくならないように、点の形状を保つように縮小する。また、文字のフォントの特徴（跳ねや線の太さの違い）を残すように縮小する。
【０１１４】
さらに、欄外の余白に、抽出した重要語を追記すること、重要語および出現頻度を追記すること、重要文を追記すること、などの選択を使用者が指定できる。
【０１１５】
また、重要語の含まれている文のすぐ脇の余白に、重要語が存在することを示す見出しマークとして「レ」点（図１２の８３）を追記し、注目を引くようにすることもできる。
【０１１６】
文書１６中の図形（グラフ、表、図）の番号は、番号毎に異なる色で印刷、異なる線種で囲むなどすること、対応する図形（グラフ、表、図）ごとに同じ色で印刷、同じ線種で囲むなどすること、などの選択を使用者が指定できる。重要図はさらに目立つように、その重要図を色つきの線（図１２の８４）で囲むことも選択できる。
【０１１７】
なお、文書によっては、穴が開けてある場合や、綴じてある場合があるため、このような場合は、穴付近、綴じ位置付近には印刷しないように追記情報を配置する。
【０１１８】
印刷制御部１４０は、印刷情報制御部１３０で定めた配置に従い、文書１６上の空白部分（余白、行間）の所定位置に、追記情報を印刷する。その際に、位置ずれが起きないように、文書１６の端部を位置合わせセンサ２６によって検出する。
【０１１９】
追記は、電子写真式や熱転写式で行うことも可能であるが、対象となる文書１６の紙質、厚みなどが様々であることから、様々な媒体に対する適性が高いインクジェット式で行うことが望ましい。インクジェット式は非接触であるため、印刷媒体の表面性（凹凸など）によらず印刷を行いやすいため、より望ましい。
【０１２０】
図１４は、図４に示す文書処理装置１０における動作の流れの一例を示す概略フローチャートである。この動作は、プログラムに従い、システムコントローラ１１０の統括制御により、実行される。
【０１２１】
まず、ステップＳ２にて、処理対象の文書１６が文書処理装置１０にセットされ、ステップＳ４にて、文書形態および処理内容が指定入力される。文書形態には、単票、綴じられた媒体（冊子、本）、などがある。本例では、使用者が文書形態を指定入力するが、文書処理装置１０が文書形態を自動で検出する構成としてもよい。裏表を処理するか否かの指定、何ページから何ページまで処理するか（対象ページの指定）についても、使用者が指定入力する。また、原情報分析、情報加工、配置など処理内容を、使用者が指定入力する。使用者は、例えば、タッチパネル式の表示モニタ４２またはキーボード４４を用いて指定入力を行う。以下では、指定入力された処理内容を「指定処理内容」という。
【０１２２】
次に、ステップＳ６にて、文書形態に応じて、文書１６の対象ページを読み取り可能な状態に設定し、画像読取部２５によって光学的に読み取る。例えば、文書が単票である場合には、オートシートフィーダ（図１の２１）を用いて画像読取部２５の読取位置まで自動で送り込む一方で、ページめくりが必要な綴じられた媒体である場合には、ページめくり装置（図示省略）を用いて自動でページめくりを行う。使用者の手動により、対象ページを読取可能状態に設定してもよい。
【０１２３】
次に、ステップＳ８にて、分析部１２２によって、読取画像を分析し、原情報（文字情報、図形、写真など）と、空白部分（余白、行間など）とに分類する。
【０１２４】
次に、ステップＳ１０にて、分析部１２２によって、指定処理内容に応じて原情報を分析する。例えば、文字情報について単語解析を行う。指定処理内容によっては、図形や写真の内容も分析する。例えば、何が写された写真であるか、といった分析を行う。
【０１２５】
次に、ステップＳ１２にて、印刷情報制御部１３０によって、指定処理内容に応じて原情報の加工を行い、追記情報を生成する。
【０１２６】
次に、ステップＳ１４にて、印刷情報制御部１３０によって、追記情報に対して文書１６上の空白部分が不足するか否かを判定する。
【０１２７】
空白部分が十分あると判定した場合には、ステップＳ１６にて、印刷情報制御部１３０によって、分析部１２２の分析結果および印刷情報制御部１３０の情報加工結果に基づいて、追記情報の文書１６での配置を決定する。そして、ステップＳ１６にて、文書１６を吸着搬送部２２によって搬送して印刷可能な状態に設定し、インク吐出ヘッド１２を用いて文書１６に追記情報を追記する。
【０１２８】
その一方で、空白部分が不足すると判定した場合には、ステップＳ２０にて、原情報の再印刷を決定し、原情報の配置（移動元範囲および移動先場所）を決定するとともに、追記情報の再配置を行う。ここで、原情報を元の印刷面積よりも小さい印刷面積で再印刷するように配置する。
【０１２９】
次に、ステップＳ２２にて、吸着搬送部２２によって文書１６を搬送して上塗り可能な状態に設定し、上塗り液吐出ヘッド１１を用いて、文書１６上の原情報を上塗りで消去する。次に、ステップＳ２４にて、文書１６を吸着搬送部２２によって搬送して印刷可能な状態に設定し、インク吐出ヘッド１２を用いて、文書１６に原情報の再印刷および追記情報の追記を行う。ここで、原情報は元の印刷面積よりも小さい印刷面積で再印刷されるので、空白部分が拡大することになり、追記情報を空白部分に印刷することができる。
【０１３０】
なお、原情報はその全てを消去する必要はなく、原情報の再印刷領域と追記情報の追記領域とが確保されるように原情報を消去すればよい。ここで、原情報の消去前の印刷面積よりも、原情報の再印刷後の印刷面積を小さくする。
【０１３１】
ステップＳ２６にて、処理対象の次ページが有るか否かを判定し、次ページが有る場合には、ステップＳ６から次ページの処理を開始する。すなわち、単票はオートシートフィーダを用いて読取位置まで送り込む一方で、綴じられた書類はページめくり装置を用いてページめくりを行って、ステップＳ６から処理を行う。ステップＳ２６にて、次ページが無い場合には、本動作を終了する。
【０１３２】
（第２実施形態）
追記した情報を、所定の目的を達した後、消去して、文書を原状復帰させたい場合がある。そこで、本実施形態では、追記情報を追記後に消去可能な構成とする。具体的には、文書上に付着した乾燥状態で消色可能な上塗り液およびインクを用いて、上塗りおよび追記を行う。
【０１３３】
ここで、インクの消色とは、文書１６に付着した乾燥状態のインクの色が消えて、その下地（通常は印刷媒体）が現れることをいう。また、上塗り液の消色とは、文書１６に付着した乾燥状態の上塗り液の色が消えて、その下地（通常は印刷媒体および原情報）が現れることをいう。
【０１３４】
消色可能な液体には各種ある。第１に、一定時間経過後に自ら消色する色材を含む液体がある。第２に、加熱することで消色する色材を含む液体がある。第３に、消去液を付与することで消色する色材を含む液体がある。第４に、光（例えば、通常用いられる照明用の蛍光灯の光には含まれない波長の紫外線、または、前記照明用の光のうちで強度が弱い短波長の紫外線）を照射することで化学反応により消色する色材を含む液体がある。
【０１３５】
これらの消色可能な液体のいずれかを選択的に液体吐出ヘッド１１、１２から吐出することにより、追記を行う。そうすると、文書の内容理解後に追記情報を消去し、文書を追記前の元の状態に戻すこと（原状復帰）が可能となるので、より望ましい。
【０１３６】
図１５は、文書１６の原状復帰を行う消去装置２０の一例を示す全体構成図である。本例では、単票の文書１６を処理対象としている。
【０１３７】
図１５において、給紙トレイ２２０には、原状復帰対象の文書１６が載置されている。この文書１６の追記情報は、光の照射によって消色するインクによって印刷されている。上塗りされている場合には、光の照射によって消色する上塗り液によって上塗りされている。例えば、赤外線加熱、または、紫外線照射により消色する。
【０１３８】
給紙トレイ２２０上の文書１６は、給紙部２２１によって給紙され、搬送部２２２によって、消去ランプ２１５と対向する照射位置へ搬送される。消去ランプ２１５は、文書１６の表面に向けて、所定の光（例えば赤外線または紫外線）を照射する。消去ランプ２１５からの光によって追記情報が消色された文書１６は、排紙部２２８によって排紙トレイ２２９へ排紙される。
【０１３９】
なお、追記を行う文書処理装置とは別の装置を用いる場合を例に説明したが、図１６の全体構成図および図１７のブロック図に示すように、文書１６の原状復帰用の消去部１５を備えた文書処理装置１００を用いてもよい。なお、消去部１５以外の構成要素は、図１および図４に示した第１実施形態の文書処理装置と同じであり、既に説明した内容については、その説明を省略する。
【０１４０】
図１６および図１７において、給紙トレイ２２０には、原状復帰対象の文書１６が載置されている。文書１６は給紙部２１によって給紙されて、吸着搬送部２２によって消去部１５の光照射面と対向する位置まで吸着搬送される。消去部１５は、文書１６のその表面に向けて、消色用の光（例えば、加熱用赤外線、紫外線など）を照射する。
【０１４１】
また、追記情報を上記のように消去しても、赤外線や紫外線で照明して撮像すると、追記用インクの成分が若干残っているため、消去した追記情報を実際には読み取ることが可能な場合がある。そこで、追記情報の消去前に、まず、追記情報およびその周辺部を追記用インクで塗りつぶし、続いて、消去部１５によって前述の消去を行うと、追記情報を後から読み取られ難くなり、好ましい。このような塗りつぶし用のインクは、追記用のインク吐出ヘッド１２から吐出することが容易であり、好適である。
【０１４２】
なお、文書を原状復帰する方法として、インクおよび上塗り液を消色するのではなく、追記情報を剥離することにより消去するようにしてもよい。
【０１４３】
例えば、インク中に、結合してポリマーになると粘着性を発現するモノマー成分を添加する。このインクは、印刷後にインク滴が乾燥する際にモノマーが結合してポリマーになり、用紙に対して粘着性によって付着する。付着力を弱くしておけば、乾燥状態のインクに剪断力を付与することにより、容易に剥離出来る。または、加熱することで収縮するポリマーを用いて印刷すると、剥離したい時に加熱することで、乾燥状態のインク自体に収縮による剪断力を発生させることが出来て、剥離させる事が出来る。上塗り液も、インクと同様に、追記後に文書１６から乾燥状態で剥離可能な液体を用いる。
【０１４４】
消去とは異なるが、他の方法として、ブラックライトなどで、紫外線を当てて初めて視認することが出来る蛍光発色インクを用いて追記を行っても、通常は容易に判読できないので、望ましい。
【０１４５】
このような、各種特性を付与したインクは、ヘッドから吐出することが容易であり、好適である。
【０１４６】
（第３実施形態）
文書１６の媒体種類によっては、追記用インクの定着が難しい場合がある。例えば、ＵＶニスなどを塗って平滑化した印刷物などである。そのような場合、例えば、媒体の表面処理が樹脂膜であるなら、インクの種類を油性インクやＵＶインクなど、樹脂に対し定着性の良いインクに切り替える。
【０１４７】
ただし、この方法では、インクの種類が増えてしまうので、別の方法としては、インクの定着を容易にする、バインダ成分やインク固定液を含む下地処理液を、追記対象範囲に付与した後、追記を行う。下地処理液の色は、透明が、望ましい。
【０１４８】
図１８は、第３実施形態に係る文書処理装置の一例の全体構成図である。図１８では、図１に示した第１実施形態の文書処理装置１０の構成要素と同じものには同じ符号を付してあり、既に説明した内容については、その説明を省略する。
【０１４９】
図１８の文書処理装置１０００は、下地処理液を吐出する下地処理液吐出ヘッド１３を備える。この下地処理液吐出ヘッド１３は、例えば図２および図３のヘッド５０によって構成されている。複数のノズル５１を有するヘッド５０を用いて、文書１６の追記対象範囲のみに、下地処理液を選択的に付与する事が、望ましい。
【０１５０】
図１９は、図１８の文書処理装置１０００の機能的な構成の一例を示すブロック図である。図１９では、図４に示した第１実施形態の文書処理装置１０の構成要素と同じものには同じ符号を付してあり、第１実施形態において既に説明した内容については、その説明を省略する。
【０１５１】
文書処理装置１０００は、文書１６の媒体種類を検出する媒体種類検出部１５２を備えている。媒体種類を検出する態様としては、例えば、文書１６に予め付与されている識別情報を画像読取部２５によって読み取り、その識別情報によって媒体種別を検出する態様や、表示モニタ４２やキーボード４４から入力される情報に基づいて検出する態様がある。
【０１５２】
文書処理装置１０００は、文書１６の表面の質を検出する下地検出部１５４を備えている。表面の質を検出する態様としては、例えば、前述のように検出した媒体種類と、予め記憶した媒体種類と表面の質（媒体の表面反射率や、色に相当する分光反射率や、光の拡散性：例えば媒体表面への９０度で入射した光の入射方向へ戻る反射率と４５度方向への反射率の比など）との対応関係を示すテーブル情報とに基づいて検出する態様や、表示モニタ４２やキーボード４４から入力される情報に基づいて検出する態様がある。
【０１５３】
本実施形態の文書処理装置１０００における動作の流れについて、図１４および図２０を用いて説明する。この動作は、プログラムに従い、システムコントローラ１１０の統括制御により、実行される。
【０１５４】
本実施形態では、第１実施形態で説明した図１４に示す動作フローにおいて、印刷（ステップＳ１８、Ｓ２４）を実行する前に、図２０に示すステップＳ４２〜Ｓ４８を実行する。
【０１５５】
まず、ステップＳ４２にて、媒体種類検出部１５２によって、文書１６を構成している紙の種類（媒体種類）を検出するとともに、下地検出部１５４によって、文書１６の表面処理（表面の質）を検出する。媒体種類検出および下地検出のいずれか一方のみを行うようにしてもよい。
【０１５６】
ステップＳ４２での検出結果に基づいて、ステップＳ４４にて、使用するインクの決定、および、下地処理を行うか否かの決定を行う。使用インクの決定および下地処理要否の決定のいずれか一方のみを行うようにしてもよい。
【０１５７】
ステップＳ４４での決定に基づいて、ステップＳ４６にて給液部１３８の切替処理によってインクの種類を切り替え、ステップＳ４８にて印刷制御部１４０の切替処理によって必要なら下地処理を行う。インク種類切替および下地処理のいずれか一方のみを行うようにしてもよい。もちろん、媒体種類および表面の質の両方が好適なときには、インク種類切替および下地処理のいずれも行わない。
【０１５８】
その後、追記情報の印刷を行う（図１４のステップＳ１８、Ｓ２４）。
【０１５９】
本例では、媒体種類検出部１５２および／または下地検出部１５４の検出結果に基づいて、給液部１３８によって追記用のインクの種類を切り替える。また、下地処理液吐出ヘッド１３によって追記用のインクの定着性を高めるための下地処理液を文書１６の表面に付与して文書１６の表面を改質する。その後、追記を行う。
【０１６０】
インクの種類を切り替えることも、下地処理液を選択的に付与することも、ヘッドでは容易であり、好適である。
【０１６１】
なお、媒体種類検出部１５２および下地検出部１５４の両方を備えた場合を例に説明したが、いずれか一方のみを設けてもよい。
【０１６２】
（第４実施形態）
本実施形態の文書処理装置について、図４を用いて説明する。なお、第１実施形態において既に説明した内容については、説明を省略する。
【０１６３】
本実施形態において、分析部１２２は、文書１６から読み取られて文字認識された文字情報（以下「原文」という）から重要情報（重要語、重要文）を抽出し、印刷情報制御部１３０は、重要情報を含む要約文を作成する。作成された要約文は、印刷制御部１４０の制御により、文書１６の余白に追記される。
【０１６４】
印刷情報制御部１３０は、キーボード（指示入力手段）によって入力されたユーザの指示に応じて、要約文作成を行う。例えば、要約文の量（例えば文字数）を指示入力可能である。
【０１６５】
なお、要約文が文書の余白に入りきらない場合は、第１実施形態において既に説明したように、原文を元の印刷面積よりも小さい印刷面積で再印刷した後に、拡大した余白に要約文を追記する。原文を移動して面積が拡大した余白に要約文を追記してもよい。要約文を更に短くして追記してもよい。
【０１６６】
要約文作成は、原文から重要語を抽出し、この重要語を含む文を要約文として作成する。重要語の抽出は、第１実施形態において既に説明したように行えばよい。抽出された重要語を含む単文を原文中から抽出して要約文の全文を作成してもよい。
【０１６７】
（第５実施形態）
本実施形態の文書処理装置について、図４を用いて説明する。なお、第１実施形態において既に説明した内容については、説明を省略する。
【０１６８】
本実施形態において、印刷情報制御部１３０は、辞書メモリ１２４内の翻訳辞書を用いて、文書から読み取られて文字認識された文字情報（原文）について、原言語（例えば英語）から目的言語（例えば日本語）への翻訳を行う。翻訳結果は、印刷制御部１４０に制御により、文書１６に追記される。
【０１６９】
印刷情報制御部１３０は、キーボード（指示入力手段）によって入力されたユーザの指示に応じて、翻訳を行う。例えば、翻訳を行う否か、原言語および目的言語を指示入力可能である。また、翻訳結果の追記形態を指示入力可能である。
【０１７０】
ここで、追記形態としては、例えば、翻訳結果（翻訳文）の全文を行間に追記、翻訳結果を要約した文章（要約文）を余白に追記、などがある。
【０１７１】
また、辞書メモリ１２４に、翻訳辞書内の単語とその難解度（単語の難解の程度を示す情報である）とを関連付けて登録しておき、難解度が閾値を超える単語のみに対して、行間に訳語を追記する形態としてもよい。
【０１７２】
なお、翻訳機能の指定（翻訳の実行可否、言語、追記形態など）は、ユーザが指示入力する場合に特に限定されず、分析部１２２の分析（読取画像分析および原情報分析）の結果に基づいて、システムコントローラ１１０が自動で決定してもよい。
【０１７３】
本発明は、本明細書において説明した例や図面に図示された例には限定されず、本発明の要旨を逸脱しない範囲において、各種の設計変更や改良を行ってよいのはもちろんである。
【図面の簡単な説明】
【０１７４】
【図１】第１実施形態に係る文書処理装置の一例の全体構成図
【図２】液体吐出ヘッドの全体構成の一例を示す平面透視図
【図３】図２の３−３線に沿った断面図
【図４】第１実施形態に係る文書処理装置の機能的構成の一例を示すブロック図
【図５】文書を光学的に読み取って得られた読取画像の一例を示す説明図
【図６】図５の一区画を拡大して示す説明図
【図７】区画ごとのヒストグラムの一例を示す説明図
【図８】行間の検出の説明に用いる説明図
【図９】検出された行間の説明に用いる説明図
【図１０】読取画像分析結果の一例を示す説明図
【図１１】追記前の文書の一例を示す説明図
【図１２】追記後の文書の一例を示す説明図
【図１３】原情報の再印刷の説明に用いる説明図
【図１４】第１実施形態の文書処理装置における概略フローチャート
【図１５】原状復帰用の消去装置の一例を示す全体構成図
【図１６】第２実施形態に係る文書処理装置の一例の全体構成図
【図１７】第２実施形態に係る文書処理装置の機能的構成の一例を示すブロック図
【図１８】第３実施形態に係る文書処理装置の一例の全体構成図
【図１９】第３実施形態に係る文書処理装置の機能的構成の一例を示すブロック図
【図２０】インク切替および下地処理の説明に用いる概略フローチャート
【符号の説明】
【０１７５】
１１…上塗り液吐出ヘッド、１２…インク吐出ヘッド、１３…下地処理液吐出ヘッド、１４…液体貯蔵部、１５…消去部、１６…文書、２１…給紙部（オートシートフィーダ）、２２…吸着搬送部、２５…画像読取部、２６…位置合わせセンサ、２８…排紙部、４２…表示モニタ、４４…キーボード、１２２…分析部、１３０…印刷情報制御部、１４０…印刷制御部、１３８…給液部、１５２…媒体種類検出部、１５４…下地検出部
【図１】
2009089081.tif 000003
【図２】
2009089081.tif 000004
【図３】
2009089081.tif 000005
【図４】
2009089081.tif 000006
【図５】
2009089081.tif 000007
【図６】
2009089081.tif 000008
【図７】
2009089081.tif 000009
【図８】
2009089081.tif 000010
【図９】
2009089081.tif 000011
【図１０】
2009089081.tif 000012
【図１１】
2009089081.tif 000013
【図１２】
2009089081.tif 000014
【図１３】
2009089081.tif 000015
【図１４】
2009089081.tif 000016
【図１５】
2009089081.tif 000017
【図１６】
2009089081.tif 000018
【図１７】
2009089081.tif 000019
【図１８】
2009089081.tif 000020
【図１９】
2009089081.tif 000021
【図２０】
2009089081.tif 000022